(57)【特許請求の範囲】
【請求項１】
消火器と略等量の内容積を有する有底筒状の密閉容器と、該密閉容器の開口部を消火器の開口部に気密に嵌合させるための、両側を開口させた筒状の嵌合治具とからなり、該嵌合治具は、片側に消火器開口部取り付けネジ部を、反対側には密閉容器開口部取り付けネジ部を、それぞれ有するとともに、上記消火器開口部取り付けネジ部が、大小二段の径の異なる消火器開口部取り付けネジ部としてあることを特徴とした粉末消火器における薬剤の充填・抜き取り用密閉容器。
【請求項２】
筒状の嵌合治具の中央部には、軸心方向に向けて突出させた環状の突堤が形成されているとともに、該突堤の両側面には、それぞれ気密シール材が施されているところの、請求項１に記載の粉末消火器における薬剤の充填・抜き取り用密閉容器。
【発明の詳細な説明】
【０００１】
【発明の属する技術分野】
本発明は、粉末消火薬剤を充填した消火器における薬剤の充填・抜き取り用密閉容器に関し、消火器内に充填されている粉末消火薬剤を抜き取り、あるいは空の消火器内に粉末消火薬剤を充填するために用いるものであって、抜き取りあるいは充填作業中における粉末の飛散を防止し、作業の安全性と薬剤のリサイクル性を高めるとともに、吸湿による粉末消火薬剤の固結化を防止することを目的とする。
【０００２】
【従来の技術】
粉末消火薬剤を充填した消火器は、火災発生時の使用により内容物消火薬剤を再充填する必要があり、また使用しなくとも法定点検期限毎に薬剤を新しいものに詰めかえなければならない。  したがって消火器内に粉末消火薬剤を充填する場合においては、一般的には図１０に示したように消火器１の開口部に逆三角錐形状のロート２を取りつけ、該ロート２上にポリ袋入りの粉末消火薬剤４を、ポリ袋３の一部を切除してポリ袋３から落下させて充填作業をおこなっていた。
【０００３】
また消火器から粉末消火薬剤を抜き取る場合においては、適当な大き目の容器の上部開口部に、上記したのと同様の逆三角錐形状のロートを取りつけ、消火器を上方に持ち上げるとともに、逆さにして内容物をロート上に落下させながら順次抜き取ることがおこなわれてる。
【０００４】
【発明が解決しようとする課題】
しかしながら、消火器に対する上記した粉末薬剤の充填方法、あるいは消火器からの粉末薬剤の抜き取り方法にあっては、内容物である消火薬剤がきわめて細かい微粒子粉末であるために周辺に飛散しやすく作業者をはじめとし、健康上に少なからず影響をおよぼすおそれがあり、また充填する消火薬剤が大気と接して吸湿しやすく、そのために充填後比較的短期間で固結化して、実際の消火作業時における薬剤放射に障害をもたらす危険もある。
【０００５】
さらに消火器から粉末消火薬剤を抜き取る際に、薬剤の一部が飛散して床上に散乱することが多く、その場合には床上においてモップなどによりかき集めて回収されるために、回収された薬剤中には砂塵などの異物が混入しやすく、そのためにリサイクルに困難をきわめる。
【０００６】
【課題を解決するための手段】
そこで本発明は、上記した従来技術の課題を解決し、粉末消火薬剤の飛散がなく、しかも大気との接触が殆どない粉末消火器における薬剤の充填・抜き取り方法および充填・抜き取り用密閉容器を開発したものであって、請求項１に記載の発明は、消火器と略等量の内容積を有する有底筒状の密閉容器と、該密閉容器の開口部を消火器の開口部に気密に嵌合させるための、両側を開口させた筒状の嵌合治具とからなり、該嵌合治具は、片側に消火器開口部取り付けネジ部を、反対側には密閉容器開口部取り付けネジ部を、それぞれ有するとともに、上記消火器開口部取り付けネジ部が、大小二段の径の異なる消火器開口部取り付けネジ部としてあることを特徴とした粉末消火器における薬剤の充填・抜き取り用密閉容器に関する。
【００１２】
さらに請求項２に記載の発明は、筒状の嵌合治具の中央部には、軸心方向に向けて突出させた環状の突堤が形成されているとともに、該突堤の両側面には、それぞれ気密シール材が施されているところの、請求項１に記載の粉末消火器における薬剤の充填・抜き取り用密閉容器に関する。
【００１４】
上記した構成において、嵌合治具の片側に形成された消火器開口部取り付けネジ部を消火器開口部外周面に形成された螺条部に螺合させて嵌合治具を取りつけるとともに、反対側に形成された密閉容器開口部取り付けネジ部に密閉容器開口部の外周面に形成された螺条部を螺合させて消火器と密閉容器の両開口部を互いに気密に嵌合させ、そのうえで粉末消火薬剤が充填されている方が上になるように上下転置して消火器内に薬剤を充填し、または消火器内から薬剤を抜き取るようにする。
【００１６】
【発明の実施の形態】
以下において、本発明の具体的な内容を図１〜９の実施例をもとに説明すると、１１は密閉容器、１８は嵌合治具、２６は消火器をあらわす。  密閉容器１１はポリエチレン、あるいはプラスチック材等の、ある程度保形性のある材質のものが用いられ、しかも消火器と略等量の内容積を有する有底筒状に構成され、また好ましくは透明体がよい。  さらに密閉容器１１の上部開口側が、筒状胴体１２の上部ショルダー部１３から開口部１４にかけて次第に径小となるべく、少なくとも２５度以上の角度をもってテーパー状に形成したテーパー部１６を有する。
【００１７】
また開口部１４の外周面には螺条部１５が形成され、しかも密閉容器１１内に粉末消火薬剤Ｐが充填されている場合には、上記螺条部１５にキャップ１７が螺合して施蓋される。  なお上記の開口部１４の開口径は、消火器２６の開口部２５に嵌合させる際に、嵌合治具１８を用いない場合においては、消火器２６の開口部２５より幾分大きめの開口径とするとともに、該部分の内周面に形成した螺条部を消火器２６の外周面に形成した螺条部に螺合して気密に嵌合させるように構成するものとする。
【００１８】
また嵌合治具１８は図３〜４に詳細に示したように、両側を開口させた筒状をなし、該筒状の嵌合治具の中央部には、軸心方向に向けて突出させた環状の突堤１９が形成されているとともに、該突堤１９の両側面には、それぞれ気密シール材２０・２１が施されている。  さらに該嵌合治具１８の片側には消火器開口部取り付けネジ部として、大径の消火器開口部取り付けネジ部２２ａと小径の消火器開口部取り付けネジ部２２ｂが、また反対側には密閉容器開口部取り付けネジ部２４が、それぞれ形成されている。
【００１９】
なお２３は大径の消火器開口部取り付けネジ部２２ａと小径の消火器開口部取り付けネジ部２２ｂとの間に施された気密シール材をあらわす。
【００２０】
上記した密閉容器１１および嵌合治具１８を用いて消火器内に粉末消火薬剤Ｐを充填する手順について図５をもとに説明すると、まず図１にあらわした粉末消火薬剤Ｐを充填してある密閉容器１１を用意し、キャップ１７を取り外すとともに、該密閉容器Ｐの開口部１４の外周面に施した螺条部１５に嵌合治具１８を、該嵌合治具１８の片側に有する密閉容器開口部取り付けネジ部２４を、密閉容器１１の開口端が気密シール材２１に圧接するまで螺入させて気密に取り付ける。
【００２１】
次に空の消火器２６を逆さにし、開口部２５の外周面に施した螺条部２５ｂを嵌合治具１８の消火器開口部取り付けネジ部２２ｂに、開口先端が気密シール材２０に圧接するまで螺入嵌合させて取り付ける。  なおこの場合において、消火器２６における開口部２５の開口径が大きい場合には図６にあらわしたように、消火器２６における開口部２５の外周面に形成された螺条部２５ａを嵌合治具１８の、径の大きい方の消火器開口部取り付けネジ部２２ａに、消火器開口先端が気密シール材２３に圧接するまで螺入螺入させて取り付ける。
【００２２】
この状態では図７にあらわしたように、密閉容器１１と消火器２６とが嵌合治具１８により一体化し、粉末消火薬剤Ｐが入った密閉容器１３が下側で、空の消火器２６が逆さのまま上方に位置している。  そこでこれらの一体化した密閉容器１３と消火器２６とを上下転置し、図８に示したように粉末消火薬剤Ｐ入りの密閉容器１１を上方に、また空の消火器２６が下側となるようにすると、上方の密閉容器１１内の粉末消火薬剤Ｐがテーパー部１６に沿って開口部１４から消火器２６内へ順次移動して消火器内に全量充填される。
【００２３】
また、密閉容器１１および嵌合治具１８を用いて消火器内の粉末消火薬剤Ｐを抜き取る場合の手順については、上記した逆の手法により実現することができる。  すなわち消火薬剤の入った消火器２６を下にして、その上方開口部外周面に施された螺条部２５ａ又は２５ｂに嵌合治具１８の消火器開口部取り付けネジ部２２ａ又は２２ｂをもって取り付けるとともに、嵌合治具１８の密閉容器開口部取り付けネジ部２４に空の密閉容器１１を逆さの状態にして気密に取り付けた後、上下転置して消火薬剤Ｐが入った消火器２６を上に、空の密閉容器１１を下にして消火器２６内の消火薬剤Ｐを密閉容器１１内に落下させることにより全量を抜き取る（図９参照）。
【００２４】
【発明の効果】
本発明は上記した通り、消火器と略等量の内容積を有する有底筒状の密閉容器を、その開口部を消火器の開口部に気密に嵌合させ、消火器と密閉容器とを上下転置させることにより消火器内に粉末薬剤を充填し、または消火器内の粉末薬剤を抜き取るようにしたために、粉末消火薬剤の飛散がなく作業者らの健康上問題がないばかりでなく、粉末消火薬剤の充填若しくは抜き取り時に粉末消火薬剤が大気と接触することが殆どないところから、消火器充填後における湿気による固結化のおそれがなく、さらに抜き取りされた粉末消火薬剤にも小砂利その他不純物混入のおそれがないためにリサイクル性に優れる。
【００２５】
また有底筒状の密閉容器における開口側が、筒状胴体から開口部にかけて次第に径小となるべく、少なくとも２５度以上の角度を有するテーパー状に形成されているために、消火薬剤粉末微粒子の流動性が良好で、消火薬剤の充填若しくは抜き取りに際し、略完全な気密性を保持でき、大気との接触をなくして良好なメンテナンス作業を可能とし、また有底筒状の密閉容器が透明体である場合には、消火薬剤の流れが一目瞭然となり、作業性を一層良好にすることができる。
【００２６】
さらに消火器と密閉容器の接続に際し、片側に大小二段の径の異なる消火器開口部取り付けネジ部を形成するとともに、反対側には密閉容器開口部取り付けネジ部を、それぞれ有するところの、両側を開口させた筒状の嵌合治具を介在させるために、上記した消火器開口部取り付けネジ部に消火器の開口部を取り付ける際に、大小二段の径の異なるいずれかの消火器開口部取り付けネジ部を利用することができるために消火器の開口径毎に異なる種類の嵌合治具を用意する必要がなく、また接続作業性の向上に寄与するところが大きい。
【００２７】
また筒状の嵌合治具の中央部には、軸心方向に向けて突出させた環状の突堤が形成されているために筒状の嵌合治具の強度が十分であり、作業中に欠損したりするトラブルが減少する。
【図面の簡単な説明】
【図１】本発明において使用される粉末消火薬剤の充填・抜き取り用密閉容器の縦断面図。
【図２】図１の密閉容器の平面図。
【図３】嵌合治具の片側から見た平面図。
【図４】図３にあらわした嵌合治具の断面図。
【図５】小口径消火器の開口部と密閉容器の開口部とを嵌合治具により一体的に嵌合させた状態の要部拡大断面図。
【図６】大口径消火器の開口部と密閉容器の開口部とを嵌合治具により一体的に嵌合させた状態の要部拡大断面図。
【図７】粉末消火薬剤入り密閉容器に空の消火器を結合させた状態の縦断面図。
【図８】図７の状態から上下転置した状態の密閉容器と消火器の縦断面図。
【図９】空の密閉容器に粉末消火薬剤入り消火器を結合させた状態の縦断面図。
【図１０】消火器に対する粉末消火薬剤の従来の充填方法をあらわした概略説明図。
【符号の説明】
１１          密閉容器
１２          筒状胴体
１３          上部ショルダー部
１４          開口部
１５          螺条部
１６          テーパー部
１７          キャップ
１８          嵌合治具
１９          突堤
２０          気密シール材
２１          気密シール材
２２ａ        大径の消火器開口部取り付けネジ部
２２ｂ        小径の消火器開口部取り付けネジ部
２３          気密シール材
２４          密閉容器開口部取り付けネジ部
２５          開口部
２５ａ        螺条部
２５ｂ        螺条部
２６          消火器
Ｐ            粉末消火薬剤
【図１】
0003890493.tif 000002
【図２】
0003890493.tif 000003
【図３】
0003890493.tif 000004
【図４】
0003890493.tif 000005
【図５】
0003890493.tif 000006
【図６】
0003890493.tif 000007
【図７】
0003890493.tif 000008
【図８】
0003890493.tif 000009
【図９】
0003890493.tif 000010
【図１０】
0003890493.tif 000011